(57)【要約】【課題】パン調整に伴う取り付け部分での変形の虞がなく、パンの正確な調整が容易に得られるようにした天吊り型カメラ装置を提供すること。【解決手段】上部材２１とは別体のソケット部保持板８を、上部材２１の下から挿入し、ソケット部２２が開口２１ｃから上に露出した状態にした上で、上側から固定用ビス９、１０を円形孔２１ｄと円弧孔２１ｅに挿入し、雌ネジ孔８ａ、８ｂにねじ込み、ソケット部保持板８が上部材２１に固定され、管状体３の雄ネジ３ａをソケット部２２の雌ネジ２２ａにねじ込み嵌合させ、雌ネジ２２ａに回り止め用のビス７をねじ込み、カメラケース１を管状体３の下端部に保持させたもの。固定用ビス９、１０を緩めるだけでパン調整できる。【選択図】図３
2011203403.tif 000002
【特許請求の範囲】
【請求項１】
上向きコの字型の下部材と下向き開放箱型の上部材を備え、前記下部材にカメラを保持させ、前記上部材を吊り下げ用部材により保持するようにした天吊り型カメラ装置において、
前記吊り下げ用部材と前記上部材の取り付け部を、前記上部材とは別体の結合用部材で構成し、
カメラのパン調整が、前記上部材に対する前記結合用部材の取り付け位置の調整により得られるようにしたことを特徴とする天吊り型カメラ装置。
【発明の詳細な説明】
【技術分野】
【０００１】
本発明は、雲台を備えたテレビジョンカメラに係り、特に、建物などの構造物から吊り下げて使用される監視用のカメラ装置に関する。
【背景技術】
【０００２】
近年、治安に対する関心の高まりは著しく、このため、テレビジョンカメラを用いた監視システムが広く用いられるようになり、治安維持の向上に大いに貢献しているが、この場合、なるべく多くの場所にカメラを設置する必要がある。
このとき、比較的制約が少ないカメラの設置方法として、建物の天井から吊り下げる方法があり、これは天吊り型カメラなどと呼ばれている。
【０００３】
ところで、カメラの据付けには、通常、雲台が用いられる(例えば引用文献１等参照)。
そして、天吊り型カメラの場合、電線管などの管状体の部材により、例えば建物の天井などの構造体から吊り下げられ、吊り下げ設置された後、所望の範囲内でパン調整とチルト調整ができるようにした半固定式の雲台を用いてカメラケースを管状体の下端に取り付けるのが一般的である。
【０００４】
そこで、このような半固定式の雲台を用いた天吊り型カメラの従来技術の一例について、図５と図６により説明する。
図５と図６において、まず、１はカメラケースで、この中に監視用のカメラ(図示してない)が収納されている。そして、このカメラケース１の上部に取り付けられているのが半固定式の雲台２で、この雲台２を介して、電線管などの管状体３がカメラケース１に取り付けられるようになっている。
このとき管状体３は、所望の長さにされ、その上端は、例えば建物の天井など、所望の構造体に取り付けられている。
【０００５】
ここで、図６は、この雲台２の詳細を示したもので、図示のように、雲台２は、上向きコの字型の下部材２０と下向き開放箱型の上部材２１により構成されている。そして、まず、下部材２０は、カメラケース１にネジにより、上向きに固定され、この下部材２０に、上部材２１が上側から覆い被さるようにして嵌合され、雲台２の本体を形成している。
このとき、下部材２０の両側部には夫々２個の雌ネジ孔２０ａ、２０ｂが設けられ、これらの雌ネジ孔２０ａ、２０ｂに対応して、上部材２１の両側部には円弧孔２１ａと丸孔２１ｂが設けられている。
【０００６】
そこで、下部材２０に、上側から覆い被さるようにして上部材２１を嵌合させた上で、上部材２１の円弧孔２１ａと丸孔２１ｂから固定用のビス５、６を挿入し、下部材２０の雌ネジ孔２０ａ、２０ｂにねじ込み、締め付ければ、上部材２１が下部材２０に固定される。
このとき、図示のように、必要に応じてスプリングワッシャと座金を介在させ、締め付けが確実に得られるようにする。
【０００７】
また、上部材２１には、更に、リング状のソケット部２２が設けてあり、その内面には雌ネジ２２ａが切られている。そして、このソケット部２２の雌ネジ２２ａに対応して、管状体３の下端部には雄ネジ３ａが切ってある。
そこで、管状体３の雄ネジ３ａをソケット部２２の雌ネジ２２ａにねじ込み嵌合させてやれば、カメラケース１を管状体３の下端部に保持させることができる。
このときソケット部２２には、更に雌ネジ孔２２ｂが２個、例えば９０°の間隔を保って設けられている。
そこで、管状体３の雄ネジ３ａをソケット部２２の雌ネジ２２ａにねじ込み嵌合させた後、この雌ネジ２２ａに回り止め用のビス７をねじ込めば、管状体３をソケット部２２に固定することができる。
【０００８】
このときのカメラのパンとチルトの調整は、次のようにして行われる。
パンの調整は、まず、回り止め用の押しネジ７を緩める。そうすると、管状体３の雄ネジ３ａに対するソケット部２２の雌ネジ２２ａの固定が緩むので、カメラケース１を所望の方向に向けることができるようになる。
そこで、カメラケース１を所望の方位角方向に向けた後、再び押しネジ７をねじ込んでやればよい。
【０００９】
次に、チルトの調整は、まず、固定用のビス５、６を緩める。そうすると、上部材２１の円弧孔２１ａに挿入されているビス５が、円弧孔２１ａに沿って移動できるようになるので、上部材２１の丸孔２１ｂに挿入されているビス６を中心軸として、上部材２１を回動させることができるようになる。
そこで、カメラケース１を所望の仰角方向に向けた後、再びビス５、６をねじ込んでやればよい。
【先行技術文献】
【特許文献】
【００１０】
【特許文献１】特開平０８−１７８１８２号公報
【発明の概要】
【発明が解決しようとする課題】
【００１１】
上記従来技術は、パン調整に伴う取り付け部分での変形発生に配慮がされておらず、パンの正確な調整が困難であるという問題があった。
従来技術の場合、パン調整に際して回り止め用の押しネジ７を一旦緩めてから締め直す必要があるので、このとき管状体３の雄ネジ３ａに多少なりとも変形を与えてしまうのが避けられないが、ここで、変形が残ってしまった場合、次に回り止め用の押しネジ７を締め込んだとき、その変形部分に押しネジ７の先端部分が当って調整したパン方向に狂いが生じてしまう。
【００１２】
従って、従来技術は、パンの正確な調整が困難であるという問題が生じてしまうのである。
本発明の目的は、パン調整に伴う取り付け部分での変形の虞がなく、パンの正確な調整が容易に得られるようにした天吊り型カメラ装置を提供することにある。
【課題を解決するための手段】
【００１３】
上記目的は、上向きコの字型の下部材と下向き開放箱型の上部材を備え、前記下部材にカメラを保持させ、前記上部材を吊り下げ用部材により保持するようにした天吊り型カメラ装置において、前記吊り下げ用部材と前記上部材の取り付け部を、前記上部材とは別体の結合用部材で構成し、カメラのパン調整が、前記上部材に対する前記結合用部材の取り付け位置の調整により得られるようにして達成される。
【発明の効果】
【００１４】
本発明によれば、設置工事に際してカメラケースを固定した後、チルト方向は勿論、パン方向の調整も可能になる。
このとき、カメラケースは搭載物が収納された状態のままでよく、パン方向の調整も、押しネジではなないので、パン調整に伴う取り付け部分での変形の虞はない。
また、本発明では、調整部分が雲台に配置されるので、設置した後ではカメラケースに隠れて見えにくい状態にできるという効果も併せ持つ。
【図面の簡単な説明】
【００１５】
【図１】本発明による天吊り型カメラ装置の一実施の形態を示す斜視図である。
【図２】本発明による天吊り型カメラ装置の一実施の形態を示す部分拡大図である。
【図３】本発明による天吊り型カメラ装置の一実施の形態を示す分解図である。
【図４】本発明による天吊り型カメラ装置の他の一実施の形態を示す分解図である。
【図５】従来技術による天吊り型カメラ装置の一例を示す部分拡大図である。
【図６】従来技術による天吊り型カメラ装置の一例を示す分解図である。
【発明を実施するための形態】
【００１６】
以下、本発明による天吊り型カメラ装置について、図示の実施形態により詳細に説明する。
ここで、図１〜図３は、本発明の一実施の形態で、これらの図において、図５と図６に示した従来技術による天吊り型カメラ装置と同じ部分には同じ符号を付してある。
ここで、これら図１〜図３において、８はソケット部保持板で、このソケット保持板８に、例えば溶接などの方法により、ソケット部２２が一体に固定されている。そして、その他の構成は、図５と図６に示した従来技術による天吊り型カメラ装置と同じである。
【００１７】
従って、これら図１〜図３に示されている本発明の実施形態が、図５と図６に示した従来技術による天吊り型カメラ装置と異なっている主な点は、ソケット部２２が上部材２１から分離され、別体とされた後、ソケット部保持板８と一体化され、これに応じて上部材２１にはソケット部２２の径よりも僅かに大きな径の円形の開口２１ｃを設け、ソケット部２２が上部材２１の下から挿入できるようにしてある。
そして、この円形の開口２１ｃの前後に更に円形孔２１ｄと円弧孔２１ｅを設け、ソケット部保持板８には、上部材２１の円形孔２１ｄと円弧孔２１ｅに対応して雌ネジ孔８ａ、８ｂが設けてある。
【００１８】
そこで、図３の状態において、ソケット部保持板８を、上部材２１の下から挿入し、ソケット部２２が開口２１ｃから上に露出した状態にした上で、上側から固定用ビス９、１０を円形孔２１ｄと円弧孔２１ｅに挿入し、雌ネジ孔８ａ、８ｂにねじ込み、締め付ければ、ソケット部保持板８が上部材２１に固定され、図２に示すようになり、この結果、図１に示すように、管状体３の雄ネジ３ａをソケット部２２の雌ネジ２２ａにねじ込み嵌合させ、雌ネジ２２ａに回り止め用のビス７をねじ込んでやれば、カメラケース１を管状体３の下端部に保持させることができる。
【００１９】
従って、この実施形態においても、チルトの調整は、図５と図６の従来技術の場合と同じである。
すなわち、固定用ビス５、６を緩め、上部材２１の円弧孔２１ａに挿入されているビス５が、円弧孔２１ａに沿って移動できるようにし、上部材２１の丸孔２１ｂに挿入されているビス６を中心軸として、上部材２１を回動させ、カメラケース１を所望の仰角方向に向けた後、再びビス５、６をねじ込んでやればよい。
【００２０】
そこで、次に、この実施形態によるパン調整について説明する。
まず、この場合、固定用ビス９、１０を緩める。このとき回り止め用のビス７を緩める必要は全くない。
そうすると、ソケット部保持板８は、一方の固定用ビス９を回動中心とし、円弧孔２１ａの中で他方の固定用ビス１０が移動できるようになる。このとき円形の開口２１ｃは、ソケット部２２の径よりも僅かに大きな径にしてあるので、カメラケース１は方位角方向に動かすことができる。
【００２１】
そこで、カメラケース１を動かし、所望の方位角方向に設定できたら、ここで固定用ビス９、１０を締め付けてやれば、パン調整が得られる。
従って、この実施形態の場合、カメラケース１を管状体３の下端部に保持させたとき、予めカメラケース１が可能な範囲で所望の方位角方向になるようにしておけばよく、この後、パン方向の調整を何度繰り返しても、管状体３の雄ネジ３ａが変形する虞がないので、細かくパン方向の調整が可能になり、正確な微調整が得られることになる。
【００２２】
次に、図４は、円形孔２１ｄ(図３)に代え、円弧孔２１ｆを設けた場合の一実施形態で、この場合、一方の固定用ビス９も円弧孔２１ｆに沿って移動できるようになり、従って、パン方向での調整可能範囲を広げることができる。
そして、この実施形態においては、開口２１ｃの径は、ソケット部２２が入ればよく、ことさら径を広げる必要はなく、その他の効果については、図３の場合と同じである。
【符号の説明】
【００２３】
１  カメラケース
２  雲台
３  管状体(電線管など)
３ａ  雄ネジ
５、６  ビス(チルト調整用のビス)
７  ビス(回り止め用のビス)
８  ソケット部保持板
８ａ、８ｂ  雌ネジ孔
９、１０  ビス(パン調整用のビス)
２０  下部材(上向きコの字型の部材)
２０ａ、２０ｂ  雌ネジ孔
２１  上部材(下向き開放箱型の部材)
２１ａ  円弧孔(チルト調整用)
２１ｂ  丸孔
２１ｃ  円形の開口
２１ｄ  円形孔
２１ｅ  円弧孔
２２  ソケット部(リング状のソケット部)
２２ａ  雌ネジ
【図１】
2011203403.tif 000003
【図２】
2011203403.tif 000004
【図３】
2011203403.tif 000005
【図４】
2011203403.tif 000006
【図５】
2011203403.tif 000007
【図６】
2011203403.tif 000008